(57)【特許請求の範囲】
【請求項１】
冷蔵庫本体と、前記冷蔵庫本体の上部に設けられた機械室と、前記機械室の区画を覆う機械室カバーとを有し、前記機械室は、前記冷蔵庫本体の第一の天面部及び前記第一の天面部より低い位置に設けた第二の天面部をその底面とした段差状に形成され、前記冷蔵庫本体の前記第二の天面部に圧縮機を配設し、更に前記圧縮機を含む冷凍サイクルには冷媒として可燃性冷媒が封入されており、前記機械室を覆う区画の上端は前記冷蔵庫本体の第一の天面部より上方に位置することにより前記第一の天面部と前記機械室を覆う区画との間にできた段差部に開口部を設け、且つ前記段差部は前記冷蔵庫本体の後方から前方に向かって低くなるよう傾斜する、と共に前記機械室カバーの背面部は左右両側に傾斜部を形成して前記傾斜部の前記圧縮機の電装部より下方の位置に開口部を設けることを特徴とする冷蔵庫。
【請求項２】
前記圧縮機を設置する上部の貯蔵室内に形成された段差部は、前記貯蔵室内に設置された複数の収納棚のうち最上段に設置された収納棚の高さ位置と略面一か、高い位置にあることを特徴とする請求項１に記載の冷蔵庫。
【請求項３】
前記機械室カバーの背面部を脱着可能な別部品とし、前記機械室カバーを２部品構成とした請求項１に記載の冷蔵庫。
【請求項４】
前記機械室内に前記圧縮機を冷却する放熱ファンを備えた請求項１から３のいずれか一項に記載の冷蔵庫。
【発明の詳細な説明】
【技術分野】
【０００１】
本発明は、最下段の貯蔵室内容積を増大するとともに、最上段の貯蔵室の収納容積、収納性を向上した冷蔵庫に関するものである。
【背景技術】
【０００２】
近年、冷蔵庫は地球環境保護の観点から更なる省エネルギー化が進むとともに、その使用性や収納性の向上が求められている。
【０００３】
従来のこの種の冷蔵庫は、外形寸法を大きくすることなく有効的に使用できる庫内の容積を大きくすることを目的に、天板と断熱壁の上壁とによって形成される空間に凝縮器を配置し、この空間と連通して天板と断熱壁の後方上部外面と背板とによって形成される空間に圧縮機を配置する方法がとられていた（例えば、特許文献１参照）。
【０００４】
図６および図７は、特許文献１に記載された従来の冷蔵庫の構成を示すものである。
【０００５】
図６、７に示すように、冷蔵庫本体１は、上から下へ順に、冷蔵室２、冷凍室３、野菜室４を有し、冷蔵室２の前面開口には、右端側または左端側を冷蔵庫本体１の前面開口形状の縦長箱形に対して回動可能に支持した開閉扉６を設ける。冷凍室３は使用性と収納性を考慮して、その前面開口は扉３ａにて閉塞され、扉３ａの裏側には上面開口の容器７が取り付けられ前後方向のレール（図示せず）にて前後方向へ移動可能に支持されている。野菜室４は使用性と収納性を考慮して、その前面開口は扉４ａにて閉塞され、扉４ａの裏側には上面開口形状の容器９が取り付けられ、この容器９は前後方向のレール（図示せず）にて前後方向へ移動可能に支持されている。このため扉３ａ、４ａが冷蔵庫本体１の前方へ引き出すことによって、容器７、９が冷蔵庫本体１の前方へ引き出され、この容器７、９に対し食品などの収納、取り出しが行える引出し室を構成している。
【０００６】
１１は冷却ユニットを構成する一つの冷却器であり、ここで冷却された空気は送風機１３によってダクト（図示せず）を通って冷蔵室２、冷凍室３、野菜室４へそれぞれ循環される。
【０００７】
１５は冷蔵庫本体１の上壁１６と背壁１７に渡る上壁後隅部を最上部の貯蔵室である冷蔵室２の上壁後部が下がるように窪ませた凹所である。凹所１５はその左右が冷蔵庫本体１の左右壁にて塞がれ上方及び背方に開放しており、この凹所１５の開放部は上板１８ａとこれにほぼ直角な背板１８ｂとからなるカバー１８にて覆われている。カバー１８はネジなどにて冷蔵庫本体１に取り外し可能に固定される。
【０００８】
圧縮機１９と凝縮器２０は、それぞれ前記冷凍ユニットの構成品の一つであり、凝縮器２０は送風機２１によって放熱される。圧縮機１９、凝縮器２０は前記冷凍ユニットの高圧機器２２であり、送風機２１とともに凹所１５内に配置され、カバー１８にて覆われる。高圧機器２２の上端は凹所１５から突出しないように、冷蔵庫本体１の上面、すなわち上壁１６の上面以下である。カバー１８の上板１８ａと背板１８ｂには、高圧機器２２の放熱のために複数の通風孔２３が設けられる。このように、高圧機器２２が本体５の上部にあるため、その放熱による冷蔵庫本体１の温度上昇は低減できる。
【特許文献１】特開２００１−９９５５２号公報
【発明の開示】
【発明が解決しようとする課題】
【０００９】
しかしながら、上記従来の構成では、圧縮機１９と凝縮器２０を冷蔵庫本体１の天面部の凹所１５内に配置することで凹所１５の必要容積が増大し、また高圧機器２２の上端を凹所１５から突出しないよう構成しているため、最上部の貯蔵室である冷蔵室２への突出容積が更に大きくなる。
【００１０】
以上のように上記従来の構成では、圧縮機２０を最下部の貯蔵室の領域から除いて収納容積や収納性を高めても、依然として圧縮機１９や凝縮器２０の配置構成に工夫がなされていないため、冷蔵庫本体１の天面に設けた凹所１５が圧縮機１９と凝縮器２０を設置するための大きな容積が必要となり、最上部の貯蔵室である冷蔵室２の上段周辺の収納性が悪くなる。さらに冷蔵室２への突出代が大きくなれば、使用者にとって扉６を開いたときの圧迫感を与えるとともにデザイン性も悪くなるものであった。
【００１１】
また、冷蔵庫天面に荷物等を置いた場合、または背面に設置する際の壁に押し付けられた場合には、排気口がふさがれるので漏洩した可燃性冷媒が拡散せず滞留してさらに危険性が高まるとともに、機械室内の空気の流れが阻害されるので圧縮機の冷却が損なわれ、消費電力量が増大するといった課題もあった。
【００１２】
本発明は、上記従来の課題を解決するもので、最下段の貯蔵室の内容積を大きくするとともに、最上段の貯蔵室の収納容積、収納性を劣化させることなく冷蔵庫の無効スペースをうまく活用するものである。
【００１３】
また、可燃性冷媒を使用した場合の安全性を向上し、圧縮機の効率向上により消費電力量を低減した冷蔵庫を提供することを目的とする。
【課題を解決するための手段】
【００１４】
上記従来の課題を解決するために、本発明の冷蔵庫は、冷蔵庫本体と、前記冷蔵庫本体の上部に設けられた機械室とを有し、前記機械室は、前記冷蔵庫本体の第一の天面部及び前記第一の天面部より低い位置に設けた第二の天面部をその底面とした段差状に形成され、前記冷蔵庫本体の前記第二の天面部に圧縮機を配設し、前記機械室を覆う区画の上端は前記冷蔵庫本体の第一の天面部より上方に位置するものである。
【００１５】
これによって、冷蔵庫本体の天面後方という使用者が手の届かない、いわば無効スペースに圧縮機を収容し、その設置した圧縮機を極力上方へ配置構成することができ、最上段の貯蔵室への突出代を小さくすることができる。
【発明の効果】
【００１６】
本発明の冷蔵庫は、冷蔵庫本体の天面後方という使用者が手の届かない、いわば無効スペースに圧縮機を収容し、最下段の貯蔵室の収納容積を増大し収納性を高めるとともに、その設置した圧縮機を機械室カバーとともに上方へ配置構成することができ、最上段の貯蔵室への突出代を小さくすることができるので、最上段の貯蔵室の収納容積、収納性を劣化させることなく、また見た目の圧迫感を感じることなく冷蔵庫の無効スペースをうまく活用できる。
【発明を実施するための最良の形態】
【００１７】
請求項１に記載の発明は、冷蔵庫本体と、前記冷蔵庫本体の上部に設けられた機械室と、前記機械室の区画を覆う機械室カバーとを有し、前記機械室は、前記冷蔵庫本体の第一の天面部及び前記第一の天面部より低い位置に設けた第二の天面部をその底面とした段差
状に形成され、前記冷蔵庫本体の前記第二の天面部に圧縮機を配設し、更に前記圧縮機を含む冷凍サイクルには冷媒として可燃性冷媒が封入されており、前記機械室を覆う区画の上端は前記冷蔵庫本体の第一の天面部より上方に位置することにより前記第一の天面部と前記機械室を覆う区画との間にできた段差部に開口部を設け、且つ前記段差部は前記冷蔵庫本体の後方から前方に向かって低くなるよう傾斜する、と共に前記機械室カバーの背面部は左右両側に傾斜部を形成して前記傾斜部の前記圧縮機の電装部より下方の位置に開口部を設けるものであり、冷蔵庫本体の天面後方という使用者が手の届かない、いわば無効スペースに圧縮機を収容し、最下段の貯蔵室の収納容積を増大し収納性を高めるとともに、その設置した圧縮機を機械室カバーとともに上方へ配置構成することができ、最上段の貯蔵室への突出代を小さくすることができるので、最上段の貯蔵室の収納容積、収納性を劣化させることなく、また見た目の圧迫感を感じることなく冷蔵庫の無効スペースをうまく活用できる。また、機械室の容積を増加することができるので、他の必要機能部品である制御基板などの収納にも利用できる。また、本体背面方向に向かって機械室による段差を設けることができるので、本体天面に荷物等を設置され背面側にスライドされても前記段差で荷物を止めるストッパーとしての機能を付加することができ、機械室内の排熱を外的要因により阻害される可能性が少なくなる。
また、圧縮機等により放熱された空気を自然排熱するための開口部としても利用でき、圧縮機の冷却効率の低下は生じず、冷蔵庫の消費電力量の増大を抑制できる。
また、空気との比重差により機械室内の下方に流入する冷媒を滞留させることなく、開口部より速やかに大気中に放出拡散でき、安全性を向上することができる。
また、仮に冷蔵庫本体を設置した背壁に押し付けられても開口部を完全に塞ぐことなく維持できる。
また、圧縮機の修理等のメンテナンス時に機械室カバーのみを外してメンテナンスできるので作業性が向上する。
【００１８】
請求項２に記載の発明は、請求項１に記載の発明において、前記圧縮機を設置する上部の貯蔵室内に形成された段差部は、前記貯蔵室内に設置された複数の収納棚のうち最上段に設置された収納棚の高さ位置と略面一か、高い位置にあり、最上段の収納棚までに段差部の窪みを抑えることで、収納無効容積が減少することはもちろんのこと、見た目の圧迫感もなくスッキリしたデザインに仕上げることができる。また、庫内最上段の収納棚を段差部よりも下方に位置させ、庫内の背面まで伸ばすことによって、最上段の収納棚よりも下方の収納棚との奥行き寸法を同じにすることができ、部品の共用化でコストメリットもでてくる可能性がある。
【００２２】
請求項３に記載の発明は、請求項１に記載の発明において、前記機械室カバーの背面部を脱着可能な別部品とし、前記機械室カバーを２部品構成としたものであり、圧縮機の修理等のメンテナンス時に比較的小さい部品である機械室カバーの背面部のみを外してメンテナンスできるので作業性が向上する。また、機械室カバーを２つの小部品に分けることにより、冷蔵庫本体の製造ラインへ機械室カバーを供給する際に、機械室カバーを搬送するコンテナ等への収納効率を上げることができる。
【００２３】
請求項４に記載の発明は、請求項１から３のいずれか一項に記載の発明において、前記機械室内に前記圧縮機を冷却する放熱ファンを備えたものであり、機械室ファンの作用により、可燃性冷媒の漏洩時に漏洩した可燃性冷媒をさらに速やかに開口部より大気中に、安全性を向上することができる。また、圧縮機を冷却することで、圧縮機の冷却効率向上により圧縮機の成績係数（ＣＯＰ）が向上し冷蔵庫の消費電力量を低減できる。また天面に収納している圧縮機の能力向上分を小型化して、機械室の容積をさらに減少させることも可能である。
【００２４】
以下、本発明による冷蔵庫の実施の形態について、図面を参照しながら説明する。なお、この実施の形態によってこの発明が限定されるものではない。
【００２５】
（実施の形態１）
図１は、本発明の実施の形態１における冷蔵庫の断面図、図２は同実施の形態における冷蔵庫の要部断面図、図３は同実施の形態における冷蔵庫の要部後方斜視図、図４は同実施の形態における冷蔵庫の要部前方斜視図、図５は同実施の形態における冷蔵庫の機械室カバーの分解斜視図である。なお、背景技術と同一構成については同一符号を付す。
【００２６】
図１から図５に示すように、冷蔵庫本体１には比較的高温の区画である冷蔵室３０が上方部に、比較的低温の区画である冷凍室３１が下方部に配設されており、冷蔵室３０および冷凍室３１は例えばウレタンのような断熱材で周囲と断熱して構成されている仕切壁２８にて区画配置されている。また、食品等の収納物の出し入れはそれぞれの断熱扉である冷蔵室扉３０ａ、冷凍室扉３１ａを介して行われる。
【００２７】
冷蔵室３０は冷蔵保存のために通常１〜５℃で設定されているが、保鮮性向上のため若干低めの温度、例えば−３〜０℃で設定されることもあり、収納物によって、使用者が自由に上記のような温度設定を切り替えることを可能としている場合もある。また、ワインや根野菜等の保鮮のために、例えば１０℃前後の若干高めの温度設定とする場合もある。
【００２８】
冷凍室３１は冷凍保存のために通常−２２〜−１８℃で設定されているが、保鮮性向上のためより低温の温度、例えば−３０℃程度で設定されることもある。
【００２９】
冷蔵庫本体１の天面に上方と背方が開放された凹状に窪んだ機械室３２が構成されており、機械室３２は第一の天面部３３と、冷蔵庫外箱背板１７側の第一の天面部３３より低い位置に設けた第二の天面部３４とで段差状に構成されている。圧縮機１９と放熱ファン２９は第二の天面部３４の上方空間部に配設されており、段差状に形成された機械室３２の上方及び背方を塞ぎ圧縮機１９と放熱ファン２９を覆うための樹脂製のカバーである機械室カバー３５がビス等（図示せず）で冷蔵庫本体１に固定されている。なお、機械室カバー３５は金属製のものであっても構わない。
【００３０】
また、機械室３２を覆う区画は第一の天面部３３と第二の天面部３４と機械室カバー３５とで覆うことで構成されている。
【００３１】
機械室カバー３５は、一般的に２部品で上方開口を覆う上カバー３６と背方開口を覆う下カバー３７にて構成される。上カバー３６は、上カバー前面部３６ａと上カバー側面部３６ｂとからなり、下カバー３７は上カバー３６と背板１７との間の開口を覆っている。例えば下カバー３７の第一の天面部３３よりも下方に位置する箇所に開口部３８を設けている。また第一の天面部３３と上カバー３６との段差部である上カバー前面部３６ａに開口部３９を設ける場合もある。さらに上カバー側面部にも開口部を設けることもあるが、その場合は側面から見え難くするために、冷蔵庫本体１の外側に向かって低くするよう傾斜を設けると良い。
【００３２】
冷蔵室３０は、庫内天井付近には前方の第一の天井面４０と庫内奥側に圧縮機１９を載置することにより一段下がった第二の天井面４１を設けて両者の間に段差部４５を形成している。また食品を収納するための複数の収納棚４２を設けていて、その内庫内最上段に位置する収納棚４２は第二の天井面４１とほぼ同じ高さ位置に配置されている。基本的に各収納棚４２の高さ間隔は３５０ＭＬの缶ビールが入る高さに調整されているが、一部上下に可動できるよう構成されている。
【００３３】
なお、通常最上段の収納棚４２は第二の天井面４１の段差部までの奥行きしかないが、第二の天井面４１の直下を庫内の奥まで延びている場合もある。その場合は最上段の下方の収納棚と兼用することもできる。
【００３４】
また、冷蔵室３０の奥には冷蔵室ダクト４３が第二の天井面４１下方で設けられ、各収納棚４２へ冷気を供給するための吐出孔（図示せず）を配置している。なお冷蔵室ダクト４３は庫内最上段スペースへ冷気を供給するために第一の天井面４０と第二の天井面４１とにできる段差部４５まで構成される場合もある。
【００３５】
冷凍室３１は、奥側に庫内を冷却するための蒸発器５０とその上方空間に冷気を循環するための冷却ファン５１を配置構成している。庫内側は引出し式の冷凍室扉３１ａを設け、前方に引き出した際に上方が開口された複数の収納容器５２が一緒に引き出されて食品を収納できるよう構成されている。
【００３６】
以上のように構成された冷蔵庫において、以下その動作、作用を説明する。
【００３７】
冷蔵庫本体１の第一の天面部３３と第二の天面部３４との間にできた凹状に窪んだ機械室３５を設け、圧縮機１９などの冷凍サイクル部品を収納することで、従来通常であった最下段の貯蔵室である冷凍室３１の後方に圧縮機１９は存在しないことから、冷凍室３１の収納容積を飛躍的に増大することができる。さらに冷凍室３１を引出し貯蔵室として構成しているため引出しの奥行きを大きくでき収納容器５２の収納量も増加する。また、使用者の手の届かない、いわば無効スペースである箇所に圧縮機１９などを収容することで、全体的な収納性や収納効率を高めたレイアウト構成を実現できる。
【００３８】
しかしながら、最上段の貯蔵室である冷蔵室３１の上部後方は無効スペースといっても、極力その突出寸法を抑えることが必要である。
【００３９】
ここで、機械室３５は冷蔵庫本体１の天面後方に配置し機械室カバー３５の上端を第一の天面部３３よりも突出させることで、機械室３５を構成する第二の天面部３４や載置する圧縮機１９を高い位置に構成できる。そうすることで冷蔵室３１に突出する寸法も小さくすることが可能となり、冷蔵室３１の収納容積を増大できるとともに、使用者に対しての見た目の圧迫感も少なくすることができる。また機械室カバー３５の第一の天面部３３からの突出は冷蔵庫本体１の後方に位置しているため、前方から使用者が見ても気が付き難くいという利点も有する。なお、上カバー前面部３６ａを冷蔵庫本体１の後方から前方に向かって低くする傾斜をつけることでさらに見た目にも突出していることが分かり難くデザイン的にも良化する。
【００４０】
一方冷蔵室３０は、機械室３２によってできた段差部４５とほぼ同じ高さに最上段の収納棚４２を配置構成することで、手の届かない最上段の収納奥行きは小さく、その直下の収納棚４２より下方は冷蔵室ダクト４３までの奥行きをしっかり確保できる。さらに収納棚４２によって段差部４５の頂点が隠れるため違和感なく収納性を高めることが可能となる。
【００４１】
また、第一の天井面４０から最上段の収納棚４２までの高さを、３５０ｍｌ缶の高さ程度に抑えることで、最上段の収納性を損なわずにその下方の収納高さを確保でき収納性を劣化させることはない。
【００４２】
なお、最上段の収納棚４２を第二の天井面４１の直下に配置し冷蔵室ダクト４３まで延長することで、冷蔵室３０の下方向から見たときの第二の天井面４１を収納棚４２により隠しスッキリ感を与えることができるとともに、その下方の収納棚４２と部品を兼用化することもできコストメリットにも繋がる。
【００４３】
また、機械室３５内の空気を循環するための放熱ファン２９を設け、圧縮機１９の放熱を促進させることで、効率及び能力を高めることができ、冷蔵庫本体１の負荷量とのバランスにはなるが、圧縮機１９の能力を落とし小型化して機械室３５の容積を減少させることで冷蔵室３１の内容積をさらに増加できる可能性がある。
【００４４】
次に、冷凍サイクル動作について説明する。庫内の設定された温度に応じて制御基板（図示せず）からの信号により冷凍サイクルが動作して冷却運転が行なわれる。圧縮機１９の動作により吐出された高温高圧の冷媒は、凝縮器６０にて放熱して凝縮液化し、キャピラリーチューブ（図示せず）と熱交換しながら減圧されて低温低圧の液冷媒となって蒸発器５０に至る。
【００４５】
冷却ファン５１の動作により、各貯蔵室内の空気と熱交換されて蒸発器５０内の冷媒は蒸発気化し、低温の冷気をダンパ装置などで供給制御することで、各貯蔵室の設定された所定の温度を維持できるよう冷却を行う。蒸発器５０を出た冷媒は吸入管を経て圧縮機１９へと吸い込まれる。
【００４６】
冷却ファン５１の作用により、蒸発器５０内の冷媒の蒸発作用により比較的低温となった冷気は冷蔵室ダクト４３を介して冷蔵室３０と、冷凍室３１に流入し、それぞれの部屋の冷却が行われる。蒸発器５０内で、庫内の空気と熱交換した冷媒はその後サクションライン（図示せず）を通り圧縮機１９へと吸い込まれる。
【００４７】
上述した冷凍サイクルの冷媒としては、地球環境保全の観点から地球温暖化係数が小さい可燃性冷媒であるイソブタンが使用されている。この、炭化水素であるイソブタンは空気と比較して常温、大気圧下で約２倍の比重である。
【００４８】
仮に、圧縮機１９の運転時に高圧となる圧縮機１９もしくは周辺の配管（図示せず）から可燃性冷媒が漏洩した場合には、第ニの天面部３４の直上、すなわち下カバー３７の下方に複数の開口部３８を設けているので、空気との比重差により機械室３２内の下方に流入する冷媒を滞留させることなく、速やかに大気中に放出拡散でき、安全性を向上することができる。
【００４９】
また、高圧機器である圧縮機１９を冷蔵庫上部に配置することにより、可燃性冷媒が圧縮機１９もしくは周辺の配管から漏洩した場合でも、空気との比重差で台所等の床面方向へ冷媒が移動する過程で拡散するので、冷蔵庫底面に圧縮機１９を配設する冷蔵庫と比較すると安全性を向上することができる。
【００５０】
また、可燃性冷媒の着火源となりうる圧縮機１９へ駆動電源を供給する図示しないコネクタ部を収納する電装部６１より下方に開口部３８を設けると、空気との比重差により機械室３５内の下方に流入する冷媒を電装部６１付近に滞留させることなく、速やかに大気中に放出拡散でき、さらに安全性を向上することができる。
【００５１】
なお、三方弁や切替弁などの冷凍サイクル部品が機械室３５内に配設されている場合は、それぞれの部品と制御基板へ繋がる配線とを接続するコネクタ部より下方に位置する箇所に開口部３８を設けるとさらに安全性を向上することができる。
【００５２】
また、上カバー前面部３６ａ、上カバー側面部３６ｂに適宜開口部を設けると、機械室３５内の風路抵抗が減少し放熱ファン２９から圧縮機１９への冷却風量が増加するので、圧縮機１９の冷却効率向上により圧縮機１９の成績係数（ＣＯＰ）が向上することにより冷蔵庫の消費電力量を低減できる。
【００５３】
また、機械室３５内に圧縮機１９を冷却する放熱ファン２９を備え、圧縮機１９を強制空冷することにより、開口部３９から外気を吸込み可燃性冷媒の漏洩時に漏洩した可燃性冷媒を瞬時に開口部３８より大気中に放出拡散でき、安全性を飛躍的に向上することができる。さらに上カバー前面部３６ａを冷蔵庫本体１の前方に向かって低くなるよう傾斜させることで、仮に第一の天面部３３に荷物を置かれて奥へ押し付けられても開口部３９を塞ぐことなく維持できる。
【００５４】
また、上カバー前面部３６ａに脱着可能なフィルター状の吸い込み口を有する別部品を構成することにより、上カバー前面部３６ａに埃等を付着させるができるとともに冷蔵庫本体１の側面から取り外して清掃することが可能となり、埃等の付着による機械室３５内の風路抵抗の増大を防止できるので、可燃性冷媒が漏洩した場合に、その放出拡散に十分な風量を確保することができる。さらに、埃等の多い環境下で冷蔵庫が使用された場合でも圧縮機１９の放熱能力低下を最小限に留めることができるので、消費電力量の増大を抑制できる。また下カバー３７の左右両側を傾斜部６５を形成して複数の開口部３８を設けると、仮に冷蔵庫本体１を設置した背壁に押し付けられても開口部３８を完全に塞ぐことなく維持できる。さらに開口部３８を放熱ファン２９の吐出側であって圧縮機１９に対して放熱ファン２９の反対側に位置させることで、仮に圧縮機１９から漏れた可燃性冷媒を放熱ファン２９によって、より速やかに機械室３２外へ放出、拡散させることができる。
【００５５】
また、下カバー３７を脱着可能な別部品とし、機械室カバー３５を２部品構成とすることにより、圧縮機１９やその周辺配管（図示せず）の修理等のメンテナンス時に、比較的小さい部品である下カバー３７のみを外してメンテナンスができるので作業性が向上する。また、２つの部品に分けることにより、冷蔵庫本体１の製造ラインへ機械室カバー３５を供給する際に、機械室カバー３５を搬送するコンテナ等への収納効率を上げることができる。
【００５６】
なお本実施の形態では、機械室カバー３５の全体面を第一の天面部３３より高い位置にすることで示したが、圧縮機１９の設置部分のみ上カバー３６を膨らませても同様の効果が得られる。
【００５７】
また、最下段の貯蔵室を庫内が２段の収納容器５２になった冷凍室３１で示したが、冷凍室扉３１ａを分割しそれぞれの収納容器５２を配置させたり、分割した庫内の一部を野菜室などの他の温度帯の貯蔵室として設定しても構わない。
【産業上の利用可能性】
【００５８】
以上のように、本発明に係る冷蔵庫は、上部後方に圧縮機を載置することによる冷蔵室庫内の段差部を極力小さくすることで庫内の収納容積を増大でき、使用者への圧迫感を感じさせなくできるとともに、可燃性冷媒が機械室内に漏洩した場合に滞留させることなく速やかに大気中に放出拡散できるため、可燃性冷媒を使用した場合の安全性を向上することができ、家庭用冷蔵庫のみならず業務用冷蔵庫、その他の冷却機器を備えた貯蔵庫の機械室構成として有用である。
【図面の簡単な説明】
【００５９】
【図１】本発明の実施の形態１における冷蔵庫の断面図
【図２】本発明の実施の形態１における冷蔵庫の要部断面図
【図３】本発明の実施の形態１における冷蔵庫の要部後方斜視図
【図４】本発明の実施の形態１における冷蔵庫の要部前方斜視図
【図５】本発明の実施の形態１における冷蔵庫の機械室カバーの分解斜視図
【図６】従来の冷蔵庫の断面図
【図７】従来の冷蔵庫の要部斜視図
【符号の説明】
【００６０】
１    冷蔵庫本体
１９  圧縮機
２９  放熱ファン
３０  冷蔵室
３２  機械室
３３  第一の天面部
３４  第二の天面部
３５  機械室カバー
３６  上カバー
３７  下カバー
３８  開口部
３９  開口部
４２  収納棚
４５  段差部
６１  電装部
【図１】
0004552800.tif 000002
【図２】
0004552800.tif 000003
【図３】
0004552800.tif 000004
【図４】
0004552800.tif 000005
【図５】
0004552800.tif 000006
【図６】
0004552800.tif 000007
【図７】
0004552800.tif 000008